(57)【要約】      （修正有）【課題】スリッパに手で触れることなく床にセットし、着脱できるスリッパ収納家具を提供する。【解決手段】スリッパ１１を履いたり脱いだりする場を提供するスリッパ着脱台１３と、スリッパ１１を保持し収納するスリッパ保持具１４、１５とから構成し、スリッパ保持具１４，１５の上下移動の操作により、履いたり脱いだりする場にスリッパ１１を揃えてセットしたり、その場からスリッパ１１を上部の空間に移して収納することを特徴とする、スリッパ１１を手で触れることなく収納しかつ着脱できる状態に揃えることができるスリッパ収納家具。【選択図】図３
2016106685.tif 000002
【特許請求の範囲】
【請求項１】
スリッパを履いたり脱いだりする場を提供するスリッパ着脱台と、スリッパを保持し収納するスリッパ保持具とからなり、スリッパ保持具は、台状の物体でその上にスリッパが収納されるようになっていて、スリッパ着脱台の上部の空間をガイドレールに沿って上下移動を行うようになっていること、最下点でスリッパ着脱台上に着座し、スリッパ着脱台と同様の機能を持つことを特徴とする、スリッパを手で触れることなく収納し、かつ着脱できる状態に揃えることができるスリッパ収納家具。
【請求項２】
スリッパを履いたり脱いだりする場を提供するスリッパ着脱台と、スリッパを保持し収納するスリッパ保持具とからなり、スリッパ保持具は磁石が付いた棒状の物体で、先端部に軟磁性体を付けたスリッパを吸着して収納するようになっていること、スリッパの保持具はガイドレールに沿って上下移動を行うようになっていること、および下降に際してスリッパはスリッパ着脱台に斜めに着き、スリッパ着脱台上を滑って最終的にスリッパ着脱台上に配置されることを特徴とする、スリッパを手で触れることなく収納し、かつ着脱できる状態に揃えることができるスリッパ収納家具。
【請求項３】
請求項２において、スリッパ保持具の下に位置しスリッパ保持具と並行に移動するもので、スリッパの裏面と接触してスリッパを傾ける傾斜付与具が備わっていることを特徴とするスリッパ収納家具。
【請求項４】
請求項２において、スリッパ保持具と平行な固定軸に吊るされ、下降して来るスリッパの裏面と接触してスリッパを傾ける傾斜付与具が備わっていることを特徴とするスリッパ収納家具。
【請求項５】
請求項２において、スリッパの先端部分に付ける軟磁性体は、両裾をもつ山形で、裾の部分を軸として回転するよう両裾の部分で固定され、山の部分で磁石に吸着することを特徴とするスリッパ収納家具。
【発明の詳細な説明】
【技術分野】
【０００１】
本発明はスリッパの収納家具に関するものである。
【背景技術】
【０００２】
スリッパは「スリップ」という語の意味するとおり、足を滑らすように入れて簡便に履ける履物である。足を汚さないため使用され、日本では屋内用に広く使われていて、通常、玄関で靴など外履きの履物と履き換えて用いる。そのためスリッパは多くの場合、玄関にスリッパ立てや、スリッパ用ラック、スリッパ箱などのスリッパ収納家具に収められ、使用の際には、手で取り出し床に置いてから履くのが一般である。従来のスリッパ収納家具は、手を使ってスリッパを収納し、手を使って床にセットして履くことを前提に製作されていて、手を使わず足の操作のみで履くようになっていない。
【０００３】
上述のようにスリッパ自体は、足の操作のみで簡便に履ける履物であるので、スリッパを手で触れることなく収納し、かつ着脱できる状態に揃えることができるスリッパ収納家具があれば、便利であり公衆衛生上大変好ましい。特に、眼科、耳鼻科、および歯科の医院などでは手が媒介する細菌感染が妨げられることが期待されるが、これまでこのようなスリッパ収納家具は存在しなかった。
【先行技術文献】
【特許文献】
【０００４】
不明
【非特許文献】
【０００５】
【非特許文献１】市販のスリッパ収納家具については、例えば、インターネット＜ＵＲＬ：http://www.amazon.co.jp/b?ie=UTF８&node=２３２６０４００５１＞［平成２６年１０月２７日検索］参照
【発明の概要】
【発明が解決しようとする課題】
【０００６】
本発明の課題は、手をスリッパに触れることなくスリッパを収納し、かつ着脱できる状態に揃えることができる、衛生的で美観や安全性を満足させるスリッパ収納家具を提供することにある。
【課題を解決するための手段】
【０００７】
上記の課題を解決するために、本発明のスリッパ収納家具は、以下の手段を採用し、以下の作用効果を生じるようにしたものである。
【０００８】
請求項１に記載した発明に係るスリッパ収納家具は、スリッパを履いたり脱いだりするスリッパ着脱台と、収納されたスリッパを保持するスリッパ保持具とを組み合わせたものである。上記のスリッパ着脱台は、通常、矩形のボードで、縦はスリッパのサイズより少し大きい値とし、横はスリッパ左右ひと揃いを1足として、数足並べて置いた長さより余裕を持たせて少し大きなサイズにしてある。スリッパ着脱台はスリッパを並べて置くことにより、スリッパの収納も兼ねるようになっている。スリッパを容易に履いたり脱いだりするため、およびスリッパ保持具がその上を滑りやすくするため、台には、０度から３０度までの傾斜をつけてあってもよく、また、スリッパが台から外れないように、かかと部分が位置する辺には高さ約０．５ｃｍ、幅約１ｃｍの枠が付けられていることが好ましい。スリッパ着脱台は大人の体重に耐える強度を有することが好ましい。
【０００９】
請求項１におけるスリッパ保持具は台状の物体であり、通常、矩形のボードが使われる。その上にスリッパは並べられて保持され、収容されるようになっている。また、スリッパが台から落ちないように、スリッパ保持具のかかと部分が位置する辺には高さ約０．５ｃｍ、幅約１ｃｍの枠が付けられていることが必要である。スリッパ保持具はスリッパ着脱台の上部の空間をガイドレールに沿って上下移動し、スリッパを収納し、履いたり脱いだりする場に揃える働きをする。すなわち、上部の空間に位置している状態でスリッパの収納が行われ、上下移動の最下点でスリッパ着脱台上に着座してスリッパ着脱台と同様のスリッパを履いたり脱いだりする場を提供する。このスリッパ保持具の働きにより、スリッパを手で触れることなく収納し、かつ着脱できる状態に揃えることができるスリッパ収納家具が実現される。
【００１０】
スリッパ保持具がスリッパ着脱台の上部の空間に位置してスリッパ収納の状態となっている時においても、スリッパを履いたり脱いだりする動作はスリッパ着脱台において行われ得る。その際、台状のスリッパ保持具が上部の空間の低い位置にあれば、スリッパを履いたり脱いだりする人の脛や膝にあたったり、スリッパを注視する視線を遮ったりして、動作が妨害される。このため、スリッパ保持具はスリッパ着脱台の上部の空間に位置するときは、例えば、図１に示すよう、前下がりに傾けてスリッパの収納を行うようになっている。これにより、人がスリッパ着脱台においてスリッパを履いたり脱いだりする妨げにならないでスリッパ保持具を低い位置で保持することが可能となり、コンパクトなスリッパ収納家具が実現できる。スリッパ保持具を多段に備えた、多段収納が可能なスリッパ収納家具も実現できる。
【００１１】
前述の傾いたスリッパ保持具を、上下移動の最下点でスリッパ着脱台の上に着座させるため、請求項１に記載した発明のスリッパ収納家具においては例えば図１に示すように、スリッパ保持具は立てられた４本のガイドレール４に沿って傾きを制御されながら、上下移動を行うようになっていて、下降に際して、スリッパ着脱台に一端が着いた後は、スリッパ着脱台上を滑って、最終的にスリッパ着脱台上に着座するようになっている。スリッパ保持具の上昇に際しては下降と逆の動作、すなわち、スリッパ着脱台に着座した状態から、スリッパ着脱台との角度を増しながら、スリッパ着脱台上を滑り、離台してスリッパ着脱台の上部の空間に位置させることが出来る。
なお、ガイドレールは、図1に示すように４本すべてを垂直に立てなくても良い。手前側２本、および奥側の２本がそれぞれ平行であればよく、また、手前側の２本は垂直に立てなくても良い。
【００１２】
請求項２に記載した発明のスリッパ収納家具は、基本的な構成は請求項１に記載した発明と同様であるが、スリッパ保持具は台状ではなく棒状の磁石が付いた物体であり、スリッパの収納はこのスリッパ保持具に附けられた複数個の磁石にスリッパを吸着させて行う点が異なる。このため、スリッパ先端には例えば図５の２４に示すような両裾をもつ山形の軟磁性体が付けられている。また、スリッパの重量に耐え、安定に吸着させるため、磁石として強い吸着力をもつ希土類磁石を用いてある。本発明に用いている直径５ｍｍ×長さ３ｍｍの円筒形のネオジウム鉄磁石は、廉売店で約１０円/個（平成２６年における価格）で販売されており、高価なものではなく本発明の普及の妨げにはならない。スリッパ保持具はスリッパ着脱台の後方に垂直に立てられた２本のガイドレールに沿って上下移動を行うようになっているため、スリッパ保持具はスリッパを履いたり脱いだりする妨げにならず、請求項１に記載した発明のものと比較してよりコンパクトなスリッパ収納家具が実現できる。そのためスリッパ保持具を多数備えた多段収納が可能な、スリッパを手で触れることなく収納し、かつ着脱できる状態に揃えることができるスリッパ収納家具が実現できる。
【００１３】
前述のスリッパ保持具の、上下移動の最下点付近でスリッパをスリッパ着脱台の上に揃えるため、請求項２に記載した発明のスリッパ収納家具においては、下降に際して、スリッパはスリッパ着脱台に前下がりに傾いて着き、その後は傾斜角を減じながら台上を滑って揃えられるようになっている。そのため、軟磁性体のスリッパ取り付け位置を調節してスリッパに前下がりの傾斜を与えるようになっている。なお、スリッパ着脱台の傾斜角は、大きければスリッパを滑らせるのに有利であるが、スリッパを履いたり脱いだりすることが容易でなくなる。傾斜角は１０度から３０度の範囲で利用されるが、１５度から２０度の範囲で利用されるのが好ましい。
【００１４】
請求項３に記載した傾斜付与具は、例えば図６に１７で示すように、スリッパ保持具１４の下に位置し、スリッパ保持具と並行に移動する棒状のもので、スリッパの裏面と接触して効率良く安定にスリッパを前下がりに傾けるものである。なお、スリッパ保持具の上昇に際しては下降と逆の動作により、スリッパの収納を行うことが出来る。すなわち、スリッパ保持具の磁石に吸着してスリッパ着脱台上に揃えられたスリッパは、スリッパ保持具の上昇でスリッパ着脱台との角度を増しながら、スリッパ着脱台上を滑り、裏面が傾斜付与具と接触するとともにスリッパは離台し、スリッパ着脱台の上部の空間に収納させることが出来る。
【００１５】
請求項４に記載の傾斜付与具は例えば図８に２７に示すように板に山形のカム２８がついていて、スリッパ着脱台の上部に設置されている。この傾斜付与具はスリッパ保持具と並行な軸２６の周りに回転することができ、下降して来るスリッパの裏面とカムが接触し傾斜付与具の重みで、スリッパを効率良く安定に前下がりに傾け、スリッパ着脱台上に接触させる。その後、カムは遅れて下降して来る棒状のスリッパ保持具１４と接触し、押し下げられて回転し、スリッパ収納具の下降通過を許す。なお、スリッパ保持具の上昇に際しては下降と逆の動作、すなわち、スリッパ保持具の磁石２５に吸着してスリッパ着脱台上に並べられたスリッパは、スリッパ保持具の上昇とともに、スリッパ着脱台との角度を増しながらスリッパ着脱台上を滑る。スリッパ保持具はカムを押し下げて上昇し、その後、スリッパはカムと接触して一時傾くが、最終的にはスリッパ着脱台の上部の空間に位置させることが出来る。カムは例えば図７にみられるようにスリッパ一足で４枚使われているが、多数のカムを用いる替わりに、それら多数のカムの包絡線をもつ一体のカムになるよう作製しても良い。
【００１６】
請求項５は、請求項２においてスリッパ保持具の磁石に吸着させるスリッパの軟磁性体の形状について述べたものである。軟磁性体は両裾をもつ山形で、裾を軸として回転するよう両裾でスリッパの先端上部に取り付け、山の部分で磁石に吸着させるものである。軟磁性体が回転し、磁石に吸着しやすくなりスリッパをスリッパ保持具に付けやすくなる。なお、軟磁性体は糸やステープルなどを用いて直接スリッパに取り付けても良いが、スリッパに付着するパッドに、山形の軟磁性体の両裾の部分を取り付けたものを１つのユニットとして規格生産し、任意のスリッパの先端部分に張り付けても良い。
【００１７】
本発明によるスリッパ収納家具では、構造的にスリッパ着脱台の上部の空間にスリッパ保持具を多数備えることができ多段収納が可能である。しかしながら、そのためにはスリッパ保持具を効率的かつ精度良く上下移動させる機構が必要となる。手を触れないで足の操作のみでスリッパを着脱できる多段収納できるスリッパ収納家具の段数には、電動機を利用しない場合には、以下の理由により制約がある。足の操作で無理なく実現できる足踏みペダルの可動域は高々１５ｃｍであり、一段のスリッパ保持具の高さが３０ｃｍ以上となることを考慮すれば、２段以上の多段のスリッパ収納家具は、スリッパ保持具を６０ｃｍ以上持ち上げなければならない。これは、４倍以上ストロークが深くなって、スリッパ保持具の重さとそれに収納されたスリッパの重さを合計したものの４倍以上の重さでペダルを操作することを意味する。このことから、力学原理を援用しても足の操作だけではペダルが重くなり、収納家具として簡便に動作させるのは難しくなると考えられる。すなわち、スリッパに手を触れないで足の操作のみで動作するスリッパ収納家具としては、２段までのスリッパ収納家具であり、好ましくは１段の収納家具である。スリッパに手を触れないで手の操作により動作するスリッパ収納家具としては、５段までのスリッパ収納家具であり、好ましくは３段までの収納家具である。しかしながらサーボモーターなどの位置決め機能を有する電動機を利用すれば、より多段のスリッパ収納家具が可能となる。また、スリッパ着脱台および各段のスリッパ保持具を長くし、一段で収納できるスリッパの足数を増やせば、さらに多くのスリッパの収納が可能となる。
【発明の効果】
【００１８】
本発明によれば、スリッパを手で触れることなく収納し、かつ着脱できる状態に揃えることができる衛生的なスリッパ収納家具を提供することが可能となる。家庭のみならず、医療機関で用いることにより、手が媒介する細菌感染が妨げられることが期待される。
【図面の簡単な説明】
【００１９】
【図１】実施例１のスリッパ着脱台とスリッパ保持台を組み合わせたスリッパ収納家具の斜視図
【図２】実施例１のスリッパ収納家具の正面図（ａ）、および側面図（ｂ）
【図３】実施例２のスリッパ着脱台とスリッパ保持具を組み合わせたスリッパ収納家具の斜視図
【図４】実施例２のスリッパ収納家具の正面図（ａ）、および側面図（ｂ）
【図５】実施例２のスリッパ収納家具に用いる磁石に付着するスリッパ（ａ）、および軟磁性体の拡大図（ｂ）
【図６】実施例２のスリッパ収納家具のスリッパの傾斜付与具によるスリッパの傾斜状態
【図７】実施例３のスリッパ着脱台とスリッパ保持具を組み合わせたスリッパ収納具の斜視図
【図８】実施例３のスリッパ収納家具のスリッパの傾斜付与具によるスリッパの傾斜状態
【発明を実施するための形態】
【００２０】
本発明は、基本的にスリッパを履いたり脱いだりする場を提供するスリッパ着脱台と、スリッパを保持し収納するスリッパ保持具とを組み合わせ、スリッパ保持具の上下移動の操作によりスリッパ保持具から履いたり脱いだりする場にスリッパを供給したり、あるいは履いたり脱いだりする場からスリッパを除去しスリッパ保持具に収納する、スリッパを手で触れることなく収納し、かつ着脱できる状態に揃えることができるスリッパ収納家具である。以下、実施例にもとづいて詳細に説明するが、本発明はこれによって何ら限定されるものではない。
【実施例】
【００２１】
（実施例１）
スリッパを手で触れることなく収納し、かつ着脱できる状態に揃えることができるスリッパ収納家具である。
実施例１は、スリッパを履いたり脱いだりするスリッパ着脱台と、収納されたスリッパを保持する台状のスリッパ保持具（実施例１ではスリッパ保持台と称する）と組み合わせたスリッパ収納家具である。図１及び図２に示すように、スリッパ着脱台１は約３０ｃｍ×約６０ｃｍのボードの約３０ｃｍ×約５０ｃｍの矩形の部分で、スリッパを並べて置くことにより、スリッパの収納も兼ねるようになっている。スリッパが台から外れないように、かかとの部分が位置する辺には高さ約０．５ｃｍ、幅約１ｃｍの枠が付いている。スリッパ保持台２も、スリッパ着脱台１と同様の矩形のボードで、スリッパを並べて置くことにより、スリッパの収納ができるようになっている。また、かかと部分が位置する辺には高さ約０．５ｃｍ、幅約１ｃｍの枠が付いている。実施例１では最大４足のスリッパが収納できる。図１は、スリッパ保持台２がスリッパ着脱台１の上部の空間に位置している状態を示す。この状態で、スリッパ着脱台１におけるスリッパを履いたり、脱いだりする動作を妨げないため図１に示すように、手前側を下にして傾いた状態で保持されている。
【００２２】
上述の傾いた状態は、図１及び図２に示すように、スリッパ保持台２を上部のヘッドボックス７から、２本のコード８によって吊り下げ、４本の垂直に立てられたガイドレール４によって、台の角度を制御することによって実現される。スリッパ保持台２の奥側両側面に内径６ｍｍのヒートン５が付けられていて、直径４ｍｍのステンレス鋼の棒で作られた奥側の２本のガイドレールはヒートン５に差し込まれている。一方、スリッパ保持台２の手前側の両側面には直径４ｍｍの釘６が付けられていて、約１０ｍｍ露出している部分が手前側から手前側のガイドレール４に接している。スリッパ着脱台上にスリッパがない場合、このような状態で、コード８を緩めて、スリッパ保持台２を下降させると、傾斜角を保ったまま下降し、スリッパ保持台２の一端がスリッパ着脱台に到達する。その後、スリッパ保持台２はスリッパ着脱台１を滑り始めるが、同時に釘６は手前のガイドレール４から離れ、最終的には、スリッパ保持台２はスリッパ着脱台１上に着座し、スリッパ着脱台としての機能を果たす。なお、スリッパ着脱台の材料には表面が滑らかな化粧ボードを用いた。これはその上をスリッパ保持台が滑りやすくするためである。また、コードには、市販のブラインドカーテンで一般に使われているものを用いた。
【００２３】
実施例１において、スリッパ保持台２の上下移動はペダル９を操作して図２に示す、てこと動滑車を用いた昇降機構１０により、コード８を引くことにより行われる。コード８はヘッドボックス７に内蔵されている滑車を介してスリッパ保持台につながっている。ペダル９は踏み下ろした最下点付近で、右に動かすことにより、ペダルのアームが支持具１２の溝に引っ掛かり固定されるようになっている。次に踏み込みながら左に動かせばペダルは溝から外れるようになっていて、足の操作のみで、ペダルを上下に保持できるようになっている。昇降機構は安全のためケース３に収められている。
【００２４】
実施例１において、足で無理なく操作できるペダルの上下移動の幅は高々１５ｃｍであり、スリッパ保持台２の上下移動の最大幅は約３倍の４０ｃｍである。てこと動滑車を組み合わせることにより、足のストローク長の３倍以上のストローク長を稼ぐことが出来る。実施例１は、手を使わないで足の操作のみで、スリッパの着脱が行える、一段のスリッパ保持具を備えたスリッパ収納家具である。
【００２５】
（実施例２）
実施例２は実施例１と同様の構成のスリッパ収納家具であるがスリッパ保持具は台状ではなく、図３の１４（または１５）に示すように直径１５ｍｍの木製の丸棒である。スリッパ着脱台１３は矩形のボードで、スリッパを並べて置くことにより、スリッパの収納も兼ねるようになっている。スリッパが台から外れないように、かかと部分が位置する辺には高さ約０．５ｃｍ、幅約１ｃｍの枠が付いている。スリッパ着脱台１３は、その上にスリッパを滑らせて収納させるため、材料として表面が摩擦の少ない化粧板などが使われ、また、図にみられるよう１５度のつま先上がりの傾斜が付いている。
【００２６】
実施例２では、スリッパ保持具は２段構成となっていて、各段のスリッパ保持具には図６に示す直径５ｍｍ×長さ３ｍｍの円筒形のネオジウム鉄磁石２５が樹脂で保持されて８個ついている。その下に図５の２４に示す、直径２ｍｍ、長さ約５０ｍｍの鉄線を山形に曲げて作られた軟磁性体が先端に付いたスリッパが磁石で吊り下げられて収納される。実施例２のスリッパの最大収納数はスリッパ着脱台１３の４足の収納を加えて１２足となっている。最大の収納状態では、下段のスリッパ保持具１４はスリッパ着脱台１３より約３０ｃｍ高い位置にあり、その約３０ｃｍ上にスリッパ保持具１５が置かれている。スリッパ保持具１４、およびスリッパ保持具１５は昇降器２１から滑車が内蔵されたヘッドボックス１９を介してコード２０によって吊り下げられ、２本のガイドレール１６に沿って上下移動を行うようになっている。スリッパ保持具には内径６ｍｍのアルミニウムのパイプで張られた孔が２カ所開いており、その中を直径４ｍｍのガイドレールが通されていてスリッパ保持具のスムースな上下移動を可能にしている。
【００２７】
スリッパ着脱台１３上にスリッパがない場合、スリッパを収納しているスリッパ保持台１４を下降させると、スリッパはスリッパ着脱台１３にかかと部分を手前にして傾いて着き、その後は傾斜角を減じながら台上を滑って、整然と並べられるようになっている。スリッパを滑りやすくするため、スリッパ着脱台には前述のように前下がりに１５度の傾斜が付けられていると共に、スリッパに前下がりに傾斜を与える傾斜付与具が設置されている。傾斜付与具は図６の１７で示すように、スリッパ保持具１４の約５ｃｍ下に位置し、スリッパ保持具と並行に移動する木製の丸棒であり、スリッパ保持具と同じ直径である。スリッパの裏面と接触してスリッパを前下がりに傾けることが出来る。なお、スリッパ保持具の上昇に際しては下降と逆の動作により、スリッパの収納を行うことが出来る。すなわち、スリッパ保持具１４の磁石２５に吸着してスリッパ着脱台上に並べられたスリッパは、スリッパ保持具の上昇でスリッパ着脱台との角度を増しながらスリッパ着脱台上を滑り、裏面が傾斜付与具と接触するとともにスリッパは離台し、スリッパ着脱台の上部の空間に位置させることが出来る。
【００２８】
実施例２において、図４に示す昇降器２１は直径２０ｍｍの中空円柱で、長さ方向に４ｍｍ幅の切れ込みを入れたレールで、レールの中をコード２０と繋がった位置決め用のレバー２３が入っている。実施例２の場合、スリッパ保持具の最大移動距離は８６ｃｍとなり、ペダル操作と力学原理だけでは、ペダルが重すぎて操作が難しいので、手動でレバーを引き、コードを操作するようにしてある。コードは３か所で固定されるようレールに切れ込みが入っていて、それぞれ、スリッパ保持具１５、スリッパ保持具１４の磁石が着脱台上に置かれたスリッパを着けることが出来る位置（着脱の標準位置と称する）で、およびスリッパ保持具が最上位の位置で静止するように調整してある。
【００２９】
スリッパ保持具が着脱の標準位置で静止することにより、スリッパはスリッパ着脱台上に揃い、容易に履くことが出来る。また、スリッパ保持具の磁石にスリッパを付けるようにして脱ぐことが出来、スリッパの収納が可能となる。着脱の標準位置は底板２２より１３ｃｍ高い位置であり、その間にスリッパ保持具および傾斜付与具を最大４段分、積み重ねて収納することが出来る。
【００３０】
実施例２では、ネオジウム鉄磁石に吸着させるため、スリッパの先に図５（ｂ）に示すような形状の軟磁性体が付けられている。軟磁性体は鉄線であり、その山の部分が磁石に吸着し、裾の部分２か所でスリッパ先端の上部に固定されている。これにより、スリッパを履いているときには、鉄線は床に接触せず、床を傷つけることはなく、磁石が近付くと裾の部分を中心にして回転し、容易に磁石に吸着する。実施例では鉄線の裾の部分を糸で縫いつけた。
【００３１】
（実施例３）
実施例３は、スリッパの傾斜付与具が異なる他は、実施例２と同様である。すなわち、実施例３における傾斜付与具２７は図7および図８にみられるようにスリッパ着脱台１３の上部に設置されている。傾斜付与具２７は幅１５ｃｍ、長さ４２ｃｍ、厚さ５ｍｍの２枚の板でできており、それぞれの板の上に８個の厚さ６ｍｍの山形のカム２８が並んで付いている。傾斜付与具２７はスリッパ着脱台１３の上約２５ｃｍの高さにスリッパ保持具と並行に設置された軸２６に吊り下げられ、軸２６の周りに回転することができる。下降して来るスリッパの裏面とカム２８が接触し、傾斜付与具の重みでスリッパを前下がりに傾けることが出来る。その際、スリッパが捻じれて吊り下がらないよう、カム２枚で片足分のスリッパを傾けるようになっている。最大傾斜角を付与した後は、遅れて下降してくる丸棒のスリッパ収納具１４あるいはスリッパ収納具１５と接触し、押し下げられて回転し、スリッパ保持具の下降通過を許す。なお、スリッパ保持具の上昇に際しては下降と可逆の動作、すなわち、スリッパ保持具の磁石に吸着してスリッパ着脱台上に並べられたスリッパは、スリッパ保持具の上昇とともにスリッパ着脱台との角度を増しながら、スリッパ着脱台上をすべり、離台してスリッパ着脱台の上部の空間に位置させることが出来る。その際、スリッパ保持具は傾斜付与具と接触するが、傾斜付与具を押し下げて回転させ、上昇し通過する。傾斜付与具との接触により、スリッパ保持具の上下移動が滑らかに行われるよう、カムの形状は2つの対数らせん曲線を組み合わせて設計されており、丸棒のスリッパ保持具と一定の角度で接触するようにしてある。なお、実施例３では、着脱の標準位置の下の空間に、実施例２の場合より２倍近いスリッパ保持具を積み重ねて収納することが出来る。
【００３２】
本発明によるスリッパ収納家具は、実施例１、実施例２および実施例３に見られるように、安全に優れており、また、家具としての美観も備えている。
【産業上の利用可能性】
【００３３】
本発明は家具の一種に属するものであるが、手を媒介する細菌感染の予防に役立つため、医療機関において、広く用いることが出来る。また、これらの実施品の製造および販売により産業上の発展に寄与するものである。
【符号の説明】
【００３４】
１、１３  スリッパ着脱台
２  スリッパ保持具（スリッパ保持台）
３  昇降機構収納ケース
４、１６  スリッパ保持具のガイドレール
５  ヒートン
６  釘
７、１９  ヘッドボックス
８、２０  コード
９  フットペダル
１０  昇降機構
１１  スリッパ
１２  てこのアームを固定する溝付きの支持具
１４、１５  スリッパ保持具
１７、１８，２７  スリッパ傾斜付与具
２１  昇降器
２２  スリッパ収納家具の底板および外枠
２３  昇降器レバー
２４  山形の軟磁性体
２５  希土類磁石
２６  傾斜付与具の回転軸
２８  傾斜付与具のカム
【図１】
2016106685.tif 000003
【図２】
2016106685.tif 000004
【図３】
2016106685.tif 000005
【図４】
2016106685.tif 000006
【図５】
2016106685.tif 000007
【図６】
2016106685.tif 000008
【図７】
2016106685.tif 000009
【図８】
2016106685.tif 000010
【手続補正書】
【提出日】平成27年2月12日(2015.2.12)
【手続補正１】
【補正対象書類名】明細書
【補正対象項目名】０００５
【補正方法】削除
【補正の内容】
【手続補正２】
【補正対象書類名】明細書
【補正対象項目名】００１７
【補正方法】変更
【補正の内容】
【００１７】
本発明によるスリッパ収納家具では、構造的にスリッパ着脱台の上部の空間にスリッパ保持具を多数備えることができ多段収納が可能である。しかしながら、そのためにはスリッパ保持具を効率的かつ精度良く上下移動させる機構が必要となる。手を触れないで足の操作のみでスリッパを着脱できる多段収納できるスリッパ収納家具の段数には、電動機を利用しない場合には、以下の理由により制約がある。足の操作で無理なく実現できる足踏みペダルの可動域は高々１５ｃｍであり、一段のスリッパ保持具の高さが３０ｃｍ以上となることを考慮すれば、２段以上の多段のスリッパ収納家具は、スリッパ保持具を６０ｃｍ以上持ち上げなければならない。これは、４倍以上ストロークが深くなって、スリッパ保持具の重さとそれに収納されたスリッパの重さを合計したものの４倍以上の重さでペダルを操作することを意味する。このことから、力学原理を援用しても足の操作だけではペダルが重くなり、収納家具として簡便に動作させるのは難しくなると考えられる。すなわち、スリッパに手を触れないで足の操作のみで動作するスリッパ収納家具としては、２段までのスリッパ収納家具であり、好ましくは１段の収納家具である。スリッパに手を触れないで手の操作により動作するスリッパ収納家具としては、５段までのスリッパ収納家具であり、好ましくは３段までの収納家具である。しかしながらステッピングモーターなどの位置決め機能を有する電動機を利用すれば、より多段のスリッパ収納家具が可能となる。また、スリッパ着脱台および各段のスリッパ保持具を長くし、一段で収納できるスリッパの足数を増やせば、さらに多くのスリッパの収納が可能となる。